(57)【要約】【課題】  被測定物の内部に配置されている局部発振器の局部発振周波数を効率良く、且つ、容易に取得できる。【解決手段】  本発明の局部発振周波数測定器１０は、所定の周波数範囲を掃引発振することによって、時間ごとに周波数が変化する信号を出力する掃引信号発振手段２０、信号を２分割する分割手段３０、分割された一方の信号と、被測定物を通過してきた他方の信号と、が入力され、この２つの信号の和信号および差信号を出力する周波数変換手段４０、周波数変換手段４０の出力から和信号を除去して差信号を出力するフィルタ手段５０、出力された差信号の周波数を計測し、計測結果を被測定物内における局部発振周波数として出力する周波数計測手段６０を備える。【選択図】      図１
2016017949.tif 000002
【特許請求の範囲】
【請求項１】
所定の周波数範囲を掃引発振することによって、時間ごとに周波数が変化する信号を出力する掃引信号発振手段と、
前記出力された信号を２分割して出力する分割手段と、
前記分割された一方の信号と、被測定物を通過してきた前記分割された他方の信号と、が入力され、該入力された２つの信号の和信号および差信号を出力する周波数変換手段と、
前記周波数変換手段の出力から前記和信号を除去して差信号を出力するフィルタ手段と、
前記差信号の周波数を計測し、計測結果を前記被測定物内における局部発振周波数として出力する周波数計測手段と、
を備える局部発振周波数測定器。
【請求項２】
前記出力された計測結果を記録する記録手段をさらに備える、請求項１に記載の局部発振周波数測定器。
【請求項３】
前記差信号のパワーを計測するパワー測定手段をさらに備え、
前記記録手段は、前記パワー測定手段から出力された計測結果および前記掃引信号発振手段から出力された信号の周波数を、周波数特性として記録する、
請求項２に記載の局部発振周波数測定器。
【請求項４】
所定の周波数範囲を掃引発振することによって、時間ごとに周波数が変化する信号を出力し、
前記出力された信号を２分割して出力し、
前記分割された一方の信号と、被測定物を通過してきた前記分割された他方の信号と、の和信号および差信号を出力し、
前記出力から前記和信号を除去し、
前記和信号が除去された出力の周波数を計測し、計測結果を前記被測定物内における局部発振周波数として出力する、
局部発振周波数測定方法。
【発明の詳細な説明】
【技術分野】
【０００１】
本発明は、局部発振周波数測定器および局部発振周波数測定方法に関し、特に、被測定物の内部に配置されている局部発振器の局部発振周波数を測定する局部発振周波数測定器および局部発振周波数測定方法に関する。
【背景技術】
【０００２】
被測定物の内部に配置されている局部発振器の局部発振周波数の測定方法は、例えば、特許文献１に開示されている。特許文献１の局部発振周波数測定器のブロック構成図を図８に示す。図８において、特許文献１の局部発振周波数測定器９００は、主に、信号発振器９１０、方向性結合器９２０、周波数カウンタ切替器９３０、周波数変換器９４０、低域ろ波器９５０、周波数カウンタ９６０から成る。図８の局部発振周波数測定器９００において、被測定物９７０は方向性結合器９２０と周波数変換器９４０との間に配置される。
【０００３】
局部発振周波数測定器９００を用いて、被測定物９７０の内部に配置されている局部発振器の局部発振周波数を測定する場合、ユーザは、周波数カウンタ切替器９３０を（ａ）側に切り替えた状態で信号発振器９１０から出力される信号の周波数を所望の値に調整すると共に信号のパワーを調整し、その後、周波数カウンタ切替器９３０を（ｂ）側に切り替える。これにより、方向性結合器９２０において分配された周波数信号の一方が被測定物９７０を通過して周波数変換器９４０に、他方がそのまま周波数変換器９４０に入力される。
【０００４】
周波数変換器９４０には、被測定物９７０の入力周波数信号と出力周波数信号とが入力されることから、周波数変換器９４０からは両者の差信号成分と和信号成分とが出力される。被測定物９７０の入力周波数信号と出力周波数信号との差信号成分は、すなわち、被測定物９７０の内部に配置されている局部発振器からの局部周波数信号成分と一致する。
【０００５】
従って、低域ろ波器９５０において周波数変換器９４０の出力から和信号成分を除去し、低域ろ波器９５０から出力された差信号成分の周波数を周波数カウンタ９６０において計測することにより、被測定物９７０の内部に配置されている局部発振器の局部発振周波数を取得することができる。
【先行技術文献】
【特許文献】
【０００６】
【特許文献１】実開昭６２−４７９７４号公報
【発明の概要】
【発明が解決しようとする課題】
【０００７】
しかしながら、特許文献１の局部発振周波数測定器９００を用いる場合、被測定物９７０の内部に配置されている局部発振器の局部発振周波数が全くの未知数である場合、信号発振器９１０から出力される信号周波数の設定によっては、低域ろ波器９５０から周波数信号が出力されない場合がある。この場合、ユーザは、低域ろ波器９５０から差信号成分が出力されるまで、信号発振器９１０の周波数設定と、周波数カウンタ切替器９３０の切り替えと、を何度も繰り返す必要がある。
【０００８】
本発明は上記の課題に鑑みてなされたものであり、被測定物の内部に配置されている局部発振器の局部発振周波数を効率良く、且つ、容易に取得できる局部発振周波数測定器および局部発振周波数測定方法を提供することを目的とする。
【課題を解決するための手段】
【０００９】
上記目的を達成するために本発明に係る局部発振周波数測定器は、所定の周波数範囲を掃引発振することによって、時間ごとに周波数が変化する信号を出力する掃引信号発振手段と、出力された信号を２分割して出力する分割手段と、分割された一方の信号と、被測定物を通過してきた分割された他方の信号と、が入力され、該入力された２つの信号の和信号および差信号を出力する周波数変換手段と、周波数変換手段の出力から和信号を除去して差信号を出力するフィルタ手段と、フィルタ手段を通過した差信号の周波数を計測し、計測結果を被測定物内における局部発振周波数として出力する周波数計測手段と、を備える局部発振周波数測定器。
【００１０】
上記目的を達成するために本発明に係る局部発振周波数測定方法は、所定の周波数範囲を掃引発振することによって、時間ごとに周波数が変化する信号を出力し、出力された信号を２分割して出力し、分割された一方の信号と、被測定物を通過してきた分割された他方の信号と、の和信号および差信号を出力し、出力から和信号を除去し、和信号が除去された出力の周波数を計測し、計測結果を被測定物内における局部発振周波数として出力する。
【発明の効果】
【００１１】
上述した本発明の態様によれば、被測定物の内部に配置されている局部発振器の局部発振周波数を効率良く、且つ、容易に取得できる。
【図面の簡単な説明】
【００１２】
【図１】第１の実施形態に係る局部発振周波数測定器１０のブロック構成図である。
【図２】被測定物である周波数コンバータ８００のブロック構成図である。
【図３】第２の実施形態に係る局部発振周波数測定器１００のブロック構成図である。
【図４】第２の実施形態に係る局部発振周波数測定器１００の動作フロー図である。
【図５】第２の実施形態に係る局部発振周波数測定器１００の周波数測定原理を説明するための図である。
【図６】第２の実施形態に係る別の局部発振周波数測定器１００’のブロック構成図である。
【図７】第２の実施形態の変形例に係る局部発振周波数測定器１００Ｂのブロック構成図である。
【図８】特許文献１に係る局部発振周波数測定器９００のブロック構成図である。
【発明を実施するための形態】
【００１３】
＜第１の実施形態＞
本発明の第１の実施形態について説明する。本実施形態に係る局部発振周波数測定器のブロック構成図を図１に示す。図１において、局部発振周波数測定器１０は、掃引信号発振手段２０、分割手段３０、周波数変換手段４０、フィルタ手段５０および周波数計測手段６０を備える。
【００１４】
掃引信号発振手段２０は、所定の周波数範囲を掃引発振することによって、周波数が時間ごとに変化する信号を生成して分割手段３０へ出力する。ここで、掃引所要時間や掃引繰り返し回数は、適宜設定することができる。本実施形態に係る掃引信号発振器２０は、周波数を連続掃引またはステップ的に可変した信号を出力する。
【００１５】
分割手段３０は、入力された信号を２分割して、一方を周波数変換手段４０へ、他方を被測定物へ出力する。被測定物は、入力された信号を内蔵されている局部発振器の局部発振信号を用いて周波数変換し、さらに、和信号を除去するろ波機能を有する場合においては和信号を除去した後、周波数変換手段４０へ出力する。ここで、被測定物は、分割手段３０を介して掃引信号発振器２０から入力された信号を、内蔵されている局部発振器の局部発振信号を用いて周波数変換し、両者の和信号成分を取り除いた後、両者の差信号成分を出力する。
【００１６】
周波数変換手段４０には、分割手段３０を介して掃引信号発振器２０から出力された信号と、被測定物から出力された信号とが入力される。すなわち、周波数変換手段４０には、被測定物への入力信号と被測定物からの出力信号とが入力される。周波数変換手段４０は、これらの２つの信号の和信号と差信号とを生成してフィルタ手段５０へ出力する。
【００１７】
フィルタ手段５０は、入力された和信号および差信号のうち、和信号成分を除去し、差信号成分を周波数計測手段６０へ出力する。
【００１８】
周波数計測手段６０は、入力された差信号成分の周波数を計測する。ここで、被測定物の入力信号と出力信号との差分は、被測定物に内蔵されている局部発振器の局部発振信号と一致することから、周波数計測手段６０において計測した差信号成分の周波数は、被測定物に内蔵されている局部発振器の局部発振信号の周波数と一致する。
【００１９】
上記のように構成された局部発振周波数測定器１０は、掃引信号発振手段２０から所定の周波数範囲の信号が掃引発振されることから、被測定物からの出力に応じて、自動的に周波数計測手段６０において被測定物に内蔵されている局部発振器の局部発振信号が計測される。従って、本実施形態に係る局部発振周波数測定器１０は、被測定物の内部に配置されている局部発振器の局部発振周波数を効効率良く、且つ、容易に取得することができる。
【００２０】
＜第２の実施形態＞
第２の実施形態について説明する。先ず、被測定物について説明する。本実施形態においては、被測定物として、周波数コンバータを適用する。周波数コンバータのブロック構成図を図２に示す。図２において、被測定物である周波数コンバータ８００は、局部発振器８１０、周波数変換器８２０、および、ろ波器８３０を含む。なお、局部発振器８１０の入力側または出力側に増幅回路等を配置することもできる。
【００２１】
局部発振器８１０は、局部周波数を発振し、局部発振器周波数電力成分を周波数変換器８２０へ出力する。例えば、局部発振器８１０は、局部発振器周波数電力成分ｆLOを発振し、周波数変換器８２０へ出力する。
【００２２】
周波数変換器８２０は、外部から入力された信号周波数電力成分を局部発振器８１０から入力された局部発振器周波数電力成分によって周波数変換し、周波数信号をろ波器８３０へ出力する。例えば、周波数変換器８２０には、外部から高周波信号電力成分ｆRFが、局部発振器８１０から局部発振器周波数電力成分ｆLOが入力する。この場合、周波数変換器８２０は、高周波信号電力成分ｆRFを局部発振器周波数電力成分ｆLOによって周波数変換し、式（１）および式（２）で表される２つの信号周波数電力成分ｆIFL、ｆIFHをろ波器８３０へ出力する。
【００２３】
ｆIFL ＝ ｆRF − ｆLO        ・・・式（１）
ｆIFH ＝ ｆRF ＋ ｆLO        ・・・式（２）
ろ波器８３０は、入力された周波数信号から不要な信号周波数電力成分を除去し、中間周波信号電力成分を外部へ出力する。例えば、ろ波器８３０は、周波数変換器８２０から式（１）、式（２）の２つの信号周波数電力成分ｆIFL、ｆIFHが入力された場合、一方の信号電力成分を除去し、他方の信号電力成分のみを外部へ出力する。
【００２４】
ｆIF ＝ ｆRF − ｆLO        ・・・式（３）
ｆIF ＝ ｆRF ＋ ｆLO        ・・・式（４）
例えば、式（２）の信号電力成分ｆIFHを除去した場合、周波数コンバータ８００からは式（３）で表される中間周波信号電力成分が出力され、式（１）の信号電力成分ｆIFLを除去した場合、周波数コンバータ８００からは式（４）で表される中間周波信号電力成分が出力される。本実施形態に係るろ波器８３０は、高周波信号電力成分ｆRFと局部発振器周波数電力成分ｆLOとの和信号成分を除去し、式（３）の差信号成分を中間周波信号電力成分として出力する。
【００２５】
次に本実施形態に係る局部発振周波数測定器について説明する。局部発振周波数測定器は、被測定物である上述の周波数コンバータ８００の局部発振器８１０において発振される局部発振器周波数電力成分ｆLOの周波数を測定する。本実施形態に係る局部発振周波数測定器のブロック構成図を図３に示す。図３において、局部発振周波数測定器１００は、掃引信号発振器２００、高周波電力分配器３００、周波数変換器４００、ろ波器５００、周波数測定手段６００および記録手段７００を備える。
【００２６】
掃引信号発振器２００は、局部発振器８１０の局部発振器周波数電力成分ｆLOの周波数が含まれる周波数範囲を掃引発振し、高周波の掃引信号周波数電力成分ｆRFを高周波電力分配器３００へ出力する。本実施形態に係る掃引信号発振器２００において、掃引所要時間は周波数測定手段６００が正常に測定できる最適な時間に設定され、掃引繰り返し回数は適宜設定される。掃引信号発振器２００としては、例えば、周波数をステップ的に可変して掃引する信号発振器を適用することができる。
【００２７】
高周波電力分配器３００は、入力された掃引信号周波数電力成分ｆRFを２分配して周波数変換器４００および被測定物（周波数コンバータ８００）へ出力する。ここで、高周波電力分配器３００の分配比率及び分配方法は適宜設定することができる。また、被測定物において入力信号電力の大きさに規定がある場合、高周波電力分配器３００はその規定を満足するように電力配分する。なお、規定を満足させるために、高周波電力分配器３００と被測定物との間に減衰器等を配置することもできる。
【００２８】
高周波電力分配器３００から周波数コンバータ８００へ出力された掃引信号周波数電力成分ｆRFは、周波数コンバータ８００の周波数変換器８２０において局部発振器８１０から入力された局部発振周波数電力成分ｆLOによって周波数変換され、ろ波器８３０において不要な信号周波数電力成分が除去される。そして、不要な信号周波数電力成分が除去された中間周波信号電力成分ｆIF（ｆRF − ｆLOまたはｆRF ＋ ｆLO）が周波数変換器４００へ出力される。
【００２９】
周波数変換器４００には、高周波電力分配器３００から掃引信号周波数電力成分ｆRFが、周波数コンバータ８００から中間周波信号電力成分ｆIF（ｆRF−ｆLOまたはｆRF＋ｆLO）が入力される。周波数変換器４００は、掃引信号周波数電力成分ｆRFを中間周波信号電力成分ｆIFによって周波数変換し、式（５）および式（６）で表される２つの信号電力成分ｆL、ｆHをろ波器５００へ出力する。
【００３０】
ｆL ＝ ｆRF − ｆIF        ・・・式（５）
ｆH ＝ ｆRF ＋ ｆIF        ・・・式（６）
ここで、周波数変換器４００は、使用する周波数範囲で動作可能な性能を有する。なお、周波数変換器４００への各入力信号の電力値が過不足の場合、周波数変換器４００の前段に必要に応じて電力増幅器や減衰器が挿入される。周波数変換器４００としては、バランスドミキサ等を適用することができ、周波数変換器４００の一方の入力端子に入力された周波数信号電力成分が、他方の入出力端子に漏えいしない物が適用される。
【００３１】
ろ波器５００は、不要な信号周波数電力成分を除去し、周波数変換された被測定物の局部発振周波数と同じ信号周波数電力成分のみを出力する。すなわち、式（６）の信号電力成分ｆHを除去した場合、ろ波器５００からは式（５）の信号電力成分ｆLが出力され、式（５）の信号電力成分ｆLを除去した場合、ろ波器５００からは式（６）の信号電力成分ｆHが出力される。
【００３２】
ここで、被測定物に配置されている局部発振器、すなわち、周波数コンバータ８００の周波数変換器８２０の発振周波数が全く判明していない場合、通過帯域周波数や阻止帯域周波数を可変出来るろ波器５００を配置する。一方、周波数コンバータ８００の周波数変換器８２０の発振周波数の範囲が絞れる場合、その範囲内の信号周波数電力成分を通過させる特性を有するろ波器５００を配置する。
【００３３】
周波数測定手段６００は、周波数カウンタと周波数測定回路とによって構成され、掃引信号発振器２００が所定の周波数範囲を掃引発振している期間、ろ波器５００から入力された信号周波数電力成分の周波数を測定し、測定結果を記録手段７００へ出力する。
【００３４】
記録手段７００は、周波数測定手段６００から入力された信号周波数電力成分の周波数の測定結果を、被測定物である周波数コンバータ８００の周波数変換器８２０の発振周波数として記録する。
【００３５】
上記のように構成された局部発振周波数測定器１００を用いて、周波数コンバータ８００の周波数変換器８２０の発振周波数を取得する場合の手順を説明する。局部発振周波数測定器１００の動作フロー図を図４に示す。図４において、掃引信号発振器２００は、所定の周波数範囲を掃引発振し、掃引信号周波数電力成分ｆRFを高周波電力分配器３００へ出力する（Ｓ１０１）。高周波電力分配器３００は、入力された掃引信号周波数電力成分ｆRFを分配して周波数変換器４００および周波数コンバータ８００へ出力する（Ｓ１０２）。
【００３６】
周波数コンバータ８００は、入力された掃引信号周波数電力成分ｆRFを、内蔵されている局部発振器８１０において発振された局部発振器周波数電力成分ｆLOによって周波数変換し、さらに、ろ波器８３０において不要な信号周波数電力成分を除去し、中間周波信号電力成分ｆIF（ｆRF − ｆLOまたはｆRF ＋ ｆLO）を周波数変換器４００へ出力する（Ｓ１０３）。本実施形態においては、ろ波器８３０は局部発振周波数を含む高い信号周波数電力成分、すなわち、和信号成分を除去する。この場合、周波数コンバータ８００からは式（３）の中間周波信号電力成分ｆIF（＝ｆRF−ｆLO）が出力される。
【００３７】
周波数変換器４００には、Ｓ１０２において高周波電力分配器３００から掃引信号周波数電力成分ｆRFが入力され、Ｓ１０３において周波数コンバータ８００から中間周波信号電力成分ｆIFが入力される。周波数変換器４００は、入力された掃引信号周波数電力成分ｆRFを中間周波信号電力成分ｆIFによって周波数変換する。これにより、式（５）および式（６）で表される２つの信号周波数電力成分ｆLO（ｆRF−ｆIFおよびｆRF＋ｆIF）がろ波器５００へ出力される（Ｓ１０４）。
【００３８】
ろ波器５００は、周波数コンバータ８００のろ波器８３０において高周波信号電力成分ｆRFおよび局部発振器周波数電力成分ｆLOの和信号成分が除去される場合、入力された２つの信号周波数電力成分ｆLOから和信号成分を除去する（Ｓ１０５）。すなわち、式（６）の信号電力成分ｆHが除去され、ろ波器５００からは式（５）の信号周波数電力成分ｆLが出力される。
【００３９】
周波数測定手段６００は、ろ波器５００から入力された信号周波数電力成分ｆLの周波数を測定し、測定結果を周波数コンバータ８００の周波数変換器８２０の局部発振周波数ｆLOとして出力する（Ｓ１０６）。
【００４０】
ろ波器５００からの出力は、掃引信号発振器２００において発振される掃引信号周波数電力成分ｆRFに依存しないため、Ｓ１０４において、掃引中にろ波器８３０を通過する信号周波数電力成分があれば、Ｓ１０６において周波数コンバータ８００の周波数変換器８２０の発振周波数ｆLOと同じ信号周波数電力成分出力が得られる。
【００４１】
次に、被測定物である周波数コンバータ８００に局部発振周波数電力成分を含む高い信号周波数電力成分（すなわち、和信号成分）を除去するろ波器８３０が配置されている時に、ろ波器５００において信号周波数電力成分の和信号成分を除去することによって、ろ波器５００から周波数コンバータ８００の周波数変換器８２０の局部発振周波数電力成分ｆLOと同じ信号周波数電力成分が出力される理由について詳細に説明する。図５に、各段階における周波数の関係を示す。
【００４２】
図５において、例えば、掃引信号発振器２００は、４〜６ＧＨｚの高周波信号電力成分ｆRFを掃引発振する。発振された高周波信号電力成分ｆRFは、高周波電力分配器３００へ入力される。高周波電力分配器３００は、入力された掃引信号周波数電力成分ｆRFを分配し、周波数変換器４００および周波数コンバータ８００へ出力する。
【００４３】
周波数コンバータ８００は、局部発振器８１０が局部発振周波数電力成分ｆLOを発振すると共にろ波器８３０が中間周波信号電力成分ｆIFとして式（３）の差信号成分（ｆIF＝ｆRF−ｆLO）を通過させる。例えば、局部発振器８１０がｆLO＝３ＧＨｚの局部発振周波数電力成分を発振する場合、周波数変換器８２０には、高周波電力分配器３００から４〜６ＧＨｚの高周波信号電力成分ｆRFと、局部発振器８１０から３ＧＨｚの局部発振周波数電力成分ｆLOとが入力される。周波数変換器８２０は、それらの和信号成分（ｆIFH＝７〜１０ＧＨｚ）および差信号成分（ｆIFL＝１〜３ＧＨｚ）の中間周波信号電力成分ｆIFH、ｆIFLをろ波器８３０へ出力する。
【００４４】
そして、ろ波器８３０は、和信号成分の中間周波信号電力成分ｆIFHを除去すると共に差信号成分の中間周波信号電力成分ｆIFLの一部を除去する。例えば、ろ波器８３０は１．５〜２．５ＧＨｚの中間周波信号電力成分ｆIFを出力する場合、ろ波器８３０によって、差信号成分からｆIFL＝１〜１．５ＧＨｚ、２．５〜３ＧＨｚの成分（ｆRF＝４〜４．５、５．５〜６ＧＨｚに対応する成分）が除去される。
【００４５】
そして、周波数変換器４００には、高周波電力分配器３００から４〜６ＧＨｚの高周波信号電力成分ｆRFが入力される。一方、周波数コンバータ８００からは、高周波電力分配器３００から４．５〜５．５ＧＨｚの高周波信号電力成分ｆRFが入力されている時にのみ、１．５〜２．５ＧＨｚの中間周波信号電力成分ｆIFが入力される。
【００４６】
従って、周波数変換器４００は、高周波電力分配器３００から４．５〜５．５ＧＨｚの高周波信号電力成分ｆRFが、周波数コンバータ８００から１．５〜２．５ＧＨｚの中間周波信号電力成分ｆIFが入力されている時に、前述の式（５）、式（６）で表される２つの信号電力成分ｆL、ｆHが出力される。すなわち、周波数変換器４００は、ｆL＝（４．５〜５．５）−（１．５〜２．５）＝３ＧＨｚ、ｆH＝（４．５〜５．５）＋（１．５〜２．５）＝６〜８ＧＨｚの２つの信号電力成分をろ波器５００へ出力する。なお、高周波電力分配器３００から４〜４．５ＧＨｚおよび５．５〜６ＧＨｚの高周波信号電力成分ｆRFが入力されている期間は周波数コンバータ８００からの入力はないため、周波数変換器４００からの出力もない。
【００４７】
ろ波器５００は、周波数変換器４００の出力から和信号成分を除去する。従って、ろ波器５００は、周波数変換器４００の出力から６〜８ＧＨｚの信号電力成分を除去し、３ＧＨｚの信号電力成分のみを出力する。すなわち、ろ波器５００からは、周波数コンバータ８００の周波数変換器８２０の発振周波数（ｆLO＝３ＧＨｚ）と同じ信号周波数電力成分が出力される。
【００４８】
これは、周波数コンバータ８００からの出力である式（３）を、ろ波器５００からからの出力である式（５）に代入することによっても説明できる。すなわち、
ｆIF ＝ ｆRF − ｆLO        ・・・式（３）
ｆL  ＝ ｆRF − ｆIF        ・・・式（５）
から、
ｆL  ＝ｆRF −（ｆRF − ｆLO）＝ｆLO      ・・・式（７）
となり、ろ波器５００において周波数コンバータ８００に配置されているろ波器８３０と同じ側の領域の周波数成分を除去することにより、周波数コンバータ８００に配置されている周波数変換器８２０の局部発振周波数電力成分と同じ信号周波数電力成分がろ波器５００から出力される。
【００４９】
以上のように、本実施形態に係る局部発振周波数測定器１００において、掃引信号発振器２００において信号周波数を必要とする周波数範囲を掃引発振すると共に周波数変換器４００の後段に被測定物に配置されたろ波器と同じ側の信号周波数電力成分を除去するろ波器５００を配置することにより、被測定物に配置された局部発振器の局部発振周波数電力成分ｆLOを取得することができる。
【００５０】
なお、上述の説明では、掃引信号発振器２００から、周波数コンバータ８００の局部発振器８１０において発振される局部発振周波数電力成分ｆLO＝３．０ＧＨｚよりも高い周波数の掃引信号周波数電力成分ｆRF＝４〜６ＧＨｚを掃引発振した場合について説明したが、それよりも低い周波数の掃引信号周波数電力成分ｆRFを掃引発振する場合も同様に機能する。
【００５１】
例えば、掃引信号発振器２００において、局部発振器８１０の局部発振周波数電力成分ｆLO＝３．０ＧＨｚよりも低い掃引信号周波数電力成分ｆRF＝０．５〜１．５ＧＨｚを掃引発振する場合について簡単に説明する。
【００５２】
この場合、被測定物内に配置された周波数変換器８２０からは、和信号成分ｆIFH＝３．５〜４．５ＧＨｚおよび差信号成分ｆIFL＝−２．５〜−１．５ＧＨｚが出力される。この場合、ろ波器８３０は、和信号成分ｆIFH＝３．５〜４．５ＧＨｚを除去して、差信号成分ｆIFL＝−２．５〜−１．５ＧＨｚを中間周波信号電力成分ｆIFとして出力する。ここで、負の周波数の信号とは、そのベクトルが、正の周波数の信号のベクトルに対して反対の方向に回転していることを示す。
【００５３】
周波数変換器４００には、高周波電力分配器３００から０．５〜１．５ＧＨｚの掃引信号周波数電力成分ｆRFが、周波数コンバータ８００から−２．５〜−１．５ＧＨｚの中間周波信号電力成分ｆIFが入力される。これにより、周波数変換器４００は、差信号成分ｆL＝（０．５〜１．５）−（−２．５〜−１．５）＝３ＧＨｚおよび和信号成分ｆH＝（０．５〜１．５）＋（−２．５〜−１．５）＝−２〜０ＧＨｚの２つの信号電力成分をろ波器５００へ出力する。
【００５４】
ろ波器５００において和信号成分ｆH＝−２〜０ＧＨｚが除去されることにより、ろ波器５００からは、周波数コンバータ８００の局部発振器８１０の発振周波数と同じ信号周波数電力成分ｆL＝３ＧＨｚが出力される。
【００５５】
なお、被測定物内にろ波器（周波数コンバータ８００内のろ波器８３０に該当するもの）が配置されていない場合、被測定物からの出力に応じたろ波器５００’を、被測定物と周波数変換器４００との間に配置すれば良い。被測定物と周波数変換器４００との間にろ波器５００’を配置した局部発振周波数測定器１００’のブロック構成図を図６に示す。図６の局部発振周波数測定器１００’も、上述した図３の局部発振周波数測定器１００と同様に動作するため、詳細な説明は省略する。
【００５６】
＜第２の実施形態の変形例＞
第２の実施形態の変形例について説明する。本実施形態に係る局部発振周波数測定器のブロック構成図を図７に示す。図７において、局部発振周波数測定器１００Ｂは、掃引信号発振器２００Ｂ、高周波電力分配器３００、周波数変換器４００、ろ波器５００、高周波電力測定手段６００Ｂおよび記録手段７００Ｂを備える。
【００５７】
本実施形態に係る局部発振周波数測定器１００Ｂは、第２の実施形態に係る図３の局部発振周波数測定器１００において、掃引信号発振器２００、周波数測定手段６００および記録手段７００の代わりに、掃引信号発振器２００Ｂ、高周波電力測定手段６００Ｂおよび記録手段７００Ｂを配置することによって構成される。
【００５８】
掃引信号発振器２００Ｂは、信号周波数を必要とする周波数範囲を掃引発振して掃引信号周波数電力成分を高周波電力分配器３００へ出力すると共に、掃引信号周波数に対し比例して変化する電圧値（以下、掃引信号電圧と記載する。）を記録手段７００Ｂへ出力する。
【００５９】
高周波電力測定手段６００Ｂは、ろ波器５００から出力された信号周波数電力成分の周波数を取得すると共に、出力された信号周波数電力成分のパワー（以下、高周波電力値と記載する。）を測定する。高周波電力測定手段６００Ｂは、取得した周波数および測定した高周波電力値を記録手段７００Ｂへ出力する。
【００６０】
記録手段７００Ｂは、高周波電力測定手段６００Ｂから入力された周波数を被測定物に配置された局部発振器の局部発振周波数電力成分として記録すると共に、掃引信号発振器２００Ｂから入力された掃引信号電圧および高周波電力測定手段６００Ｂから入力された高周波電力値を記録する。記録手段７００Ｂは、例えば、掃引信号電圧および高周波電力値を表などに記録したり、これらの比を周波数ごとにプロットして周波数特性グラフを生成する。
【００６１】
すなわち、掃引信号発振器２００Ｂによって信号周波数を必要とする周波数範囲を掃引発振し、その時に、高周波電力測定手段６００Ｂにおいてろ波器５００から出力された信号周波数電力成分の高周波電力値を測定することにより、被測定物の周波数特性（変換損失や変換利得等）を取得することができる。
【００６２】
なお、一般的に、掃引信号発振器２００Ｂから出力される掃引信号の電圧は、発振周波数に比例して振幅が変化するのこぎり波電圧である。掃引信号の周波数をステップ的に可変して掃引する場合、発振周波数に相当するデジタル信号が出力されることから、掃引信号発振器２００Ｂからの掃引信号に応じて適切な記録手段７００Ｂを用いることが望ましい。
【００６３】
上述した局部発振周波数測定器１０、１００、１００’１００Ｂは、被測定物に内蔵された局部発振器の局部発振周波数を直接測定出来ない筐体構造等の被測定物について、被測定物の信号入出力端子や入出力コネクタ等に接続されることによって、被測定物に内蔵された局部発振器の局部発振周波数を測定する。本願発明は上記実施形態に限定されるものではなく、この発明の要旨を逸脱しない範囲の設計の変更等があってもこの発明に含まれる。
【符号の説明】
【００６４】
１０    局部発振周波数測定器
２０    掃引信号発振手段
３０    分割手段
４０    周波数変換手段
５０    フィルタ手段
６０    周波数計測手段
１００、１００’、１００Ｂ    局部発振周波数測定器
２００、２００Ｂ    掃引信号発振器
３００    高周波電力分配器
４００    周波数変換器
５００、５００’    ろ波器
６００    周波数測定手段
６００Ｂ    高周波電力測定手段
７００、７００Ｂ    記録手段
８００    周波数コンバータ
８１０    局部発振器
８２０    周波数変換器
８３０    ろ波器
【図１】
2016017949.tif 000003
【図２】
2016017949.tif 000004
【図３】
2016017949.tif 000005
【図４】
2016017949.tif 000006
【図５】
2016017949.tif 000007
【図６】
2016017949.tif 000008
【図７】
2016017949.tif 000009
【図８】
2016017949.tif 000010